(57)【特許請求の範囲】
【請求項１】
直列に接続された複数のＬＥＤ素子と、
前記複数のＬＥＤ素子の電流の出力側に接続され、第１の信号レベルのパルス信号により導通し、前記第１の信号レベルとは異なる第２の信号レベルのパルス信号により非導通となる第１のトランジスタと、
前記複数のＬＥＤ素子の電流の出力側であって前記第１のトランジスタに対して並列に接続され、第３の信号レベルのパルス信号により導通し、前記第３の信号レベルとは異なる第４の信号レベルのパルス信号により非導通となる第２のトランジスタと、
前記第１のトランジスタへとパルス信号を出力する第１ポートと前記第２のトランジスタへとパルス信号を出力する第２ポートとを含むＣＰＵとを備え、
前記ＣＰＵは、前記第３の信号レベルを出力する期間と前記第４の信号レベルを出力する期間との比率を制御することにより前記複数のＬＥＤ素子の輝度を制御し、
前記ＣＰＵは、動作クロックを停止させるモードを有しており、
動作クロックを停止させる場合、動作クロックを停止させる前に前記第１ポートおよび前記第２ポートから出力される信号レベルを固定し前記複数のＬＥＤ素子の輝度を設定する
ことを特徴とする点灯制御装置。
【請求項２】
前記ＣＰＵが前記第１ポートから出力するパルス信号は、パルス変調されない信号であって、
前記ＣＰＵが前記第１ポートから出力するパルス信号の前記第１の信号レベルおよび前記第２の信号レベルは、一方がＨｉｇｈ、他方がＬｏｗである
ことを特徴とする請求項１に記載の点灯制御装置。
【請求項３】
バッテリと、
前記バッテリの電圧を昇圧する昇圧回路とを備え、
前記昇圧回路の出力側の線路には有機ＥＬディスプレイが接続され、
前記複数のＬＥＤ素子は、前記昇圧回路の出力側の線路の分岐点から引き出された線路に接続されており、
さらに、前記分岐点から前記有機ＥＬディスプレイに至る線路に設置されたスイッチ素子を備える
ことを特徴とする請求項１に記載の点灯制御装置。
【請求項４】
請求項３に記載の点灯制御装置と、上側筐体と下側筐体とを含む折りたたみ式の筐体を有する携帯電話機であって、
前記筐体が折りたたまれていないオープン状態か、折りたたまれたクローズ状態かを検知する検知部と、
前記上側筐体の前面には前記複数のＬＥＤ素子を光源とするバックライトユニットにより発光するＬＣＤディスプレイと、
前記上側筐体の背面には前記有機ＥＬディスプレイとを備え、
前記検知部によりクローズ状態が検知されると、前記ＣＰＵは、前記第２の信号レベルのパルス信号を出力することにより前記第１のトランジスタを非導通にさせて、前記複数のＬＥＤ素子を非点灯とし、かつ前記スイッチ素子をオン制御することにより前記有機ＥＬディスプレイを点灯させる
ことを特徴とする携帯電話機。
【発明の詳細な説明】
【技術分野】
【０００１】
本発明はバックライトの点灯時の明るさを段階的に変更する技術に関する。
【背景技術】
【０００２】
従来から携帯用機器などに備えられるバックライトにおいては、その輝度を周囲の明るさなどに基づいて変更することが行われている（特許文献１）。
【先行技術文献】
【特許文献】
【０００３】
【特許文献１】特開2009-105871号公報
【発明の概要】
【発明が解決しようとする課題】
【０００４】
ところでバックライトの中でも特に光源として複数のＬＥＤ（Light Emitting Diode）を備えるバックライトの輝度を段階的に変更させようとした場合には、例えば次のような回路構成が考えられる。
ひとつ目の回路構成は、図９に示すように、電源１０２に３つのＬＥＤ１０４ａ，１０４ｂ，１０４ｃを並列に接続し、ＬＥＤ１０４ａ，１０４ｂ，１０４ｃの出力側にはＣＰＵ１０６に制御されるＬＥＤコントロールＩＣ１０８が接続されている。
【０００５】
バックライトを均一な面光源とするためには、各ＬＥＤ１０４ａ，１０４ｂ，１０４ｃに同じ電流を流す必要がある。ＬＥＤコントロールＩＣ１０８によりＬＥＤ１０４ａ，１０４ｂ，１０４ｃのバラツキ（特にＶＩ特性曲線のバラツキ）を補正するとともに、輝度を段階的に変更することができる。
しかしながら図９のようなＬＥＤコントロールＩＣ１０８は、部品のコストが高いという問題がある。
【０００６】
ふたつ目の回路構成は、図１０に示すように、電源１２２の出力側に昇圧回路１２６を経て３つのＬＥＤ１２４ａ，１２４ｂ，１２４ｃを直列に接続している。ＬＥＤ１２４ａ，１２４ｂ，１２４ｃの出力側には、抵抗Ｒ１１と、スイッチ１２８でオンオフされる抵抗Ｒ１２との２つの抵抗が並列に接続されている。スイッチ１２８のオンオフを制御することでＬＥＤ１２４ａ，１２４ｂ，１２４ｃに流れる電流を制御して輝度を変更できる。
【０００７】
なお、図１０の回路では、ＬＥＤ１２４ａ，１２４ｂ，１２４ｃの駆動電圧（例えばＬＥＤ1個あたり3.5Ｖ）は、電源１２２の電圧（例えば4.2Ｖ）では不十分なため、昇圧回路１２６により昇圧している。
しかし図１０に示す回路では、より多段階に輝度を変更しようとすると、より多くの抵抗やスイッチが必要となり部品添数が増加するという問題がある。
【０００８】
本発明は上述の問題に鑑みてなされたものであって、複数のＬＥＤを光源とするバックライトにおいて、簡易な回路構成で輝度を多段階に変更できる点灯制御装置を提供することを目的とする。
【課題を解決するための手段】
【０００９】
本発明に係る点灯制御装置は、直列に接続された複数のＬＥＤ素子と、前記複数のＬＥＤ素子の電流の出力側に接続され、第１の信号レベルのパルス信号により導通し、前記第１の信号レベルとは異なる第２の信号レベルのパルス信号により非導通となる第１のトランジスタと、前記複数のＬＥＤ素子の電流の出力側であって前記第１のトランジスタに対して並列に接続され、第３の信号レベルのパルス信号により導通し、前記第３の信号レベルとは異なる第４の信号レベルのパルス信号により非導通となる第２のトランジスタと、前記第１のトランジスタへとパルス信号を出力する第１ポートと前記第２のトランジスタへとパルス信号を出力する第２ポートとを含むＣＰＵとを備え、前記ＣＰＵは、前記第３の信号レベルを出力する期間と前記第４の信号レベルを出力する期間との比率を制御することにより前記複数のＬＥＤ素子の輝度を制御することを特徴としている。
【発明の効果】
【００１０】
本発明に係る点灯制御装置によれば、複数のＬＥＤ素子へ流れる電流（複数のＬＥＤ素子の輝度）を制御でき、簡易な回路構成で輝度の多段階変更が可能となる。
【図面の簡単な説明】
【００１１】
【図１】携帯電話機の筐体の外観図
【図２】フリップ状態と両ディスプレイのオンオフを示す表
【図３】携帯電話機１の機能ブロック図
【図４】携帯電話機１の回路の概要を示す図
【図５】点灯モード、バックライトの表面の輝度、ポート１およびポート２が出力する信号、ＣＰＵ省電力モードとの関係を示す表
【図６】ＣＰＵ２４のポート２から出力される波形を示す図
【図７】携帯電話機１の回路の変形例を示す図
【図８】携帯電話機１の回路の変形例を示す図
【図９】バックライトの輝度を段階的に変更させる回路構成例１の図
【図１０】バックライトの輝度を段階的に変更させる回路構成例２の図
【発明を実施するための形態】
【００１２】
以下、点灯制御装置として携帯電話機のバックライトを点灯させる例を挙げて、図面を参照しながら説明する。
図１は、携帯電話機１の筐体２の外観を示す図である。携帯電話機１の筐体２は、折りたたみ式であり、上側筐体２ａ、下側筐体２ｂ、ヒンジ部２ｃを備える。
筐体２は、ヒンジ部２ａが回転することで、上側筐体２ａと下側筐体２ｂが左右に開く状態（オープン）と、上側筐体２ａと下側筐体２ｂとが重なり閉じられる状態（クローズ）の２つのフリップ状態がある。
【００１３】
上側筐体２ａの前面（折りたたんだクローズなときに内側になる面）にはＬＣＤ（Liquid Crystal Display）ディスプレイ４が配置され、背面（折りたたんだクローズなときに外側になる面）には有機ＥＬディスプレイ６が配置されている。
具体的な仕組みは後述するが、フリップ状態がオープンのときは、ＬＣＤ（Liquid Crystal Display）ディスプレイ４の表示がＯＮとなり、有機ＥＬディスプレイ６の表示はＯＦＦとなる。反対に、フリップ状態がクローズなときは、ＬＣＤディスプレイ４の表示がＯＦＦとなり、有機ＥＬディスプレイ６の表示はＯＮとなる。
【００１４】
図３は、携帯電話機１の機能ブロック図である。
携帯電話機１は、有機ＥＬディスプレイ６、ＬＣＤディスプレイ４、ＬＣＤバックライトＬＥＤ１０、ＬＥＤコントローラ１２、オープン／クローズ検出部１４、キー操作部１６、カメラ部１８、スピーカ部２０、通話部２２、ＣＰＵ２４及びメモリ２６を備える。
ＬＣＤバックライトＬＥＤ１０（以下、単に「ＬＥＤ１０」と呼ぶことがある。）は、ＬＣＤディスプレイ４のバックライトの光源であり、バックライトユニットを構成している。図示しないが、本実施の形態におけるバックライトユニットは、一般的なエッジライト方式（導光板方式）であり、例えばアクリル製の導光板、この導光板の側面に置かれた３個の白色のＬＥＤ（定格電圧は、例えば3.5Ｖ）、導光板の表面に貼り付けられた光取り出し効率を高めたり光の均一性を高めるための各種光学シートから構成されている。光源である３個のＬＥＤから出た光は導光板、光学シートを通ってバックライトユニットの表面を均一に光らせるようになっている。
【００１５】
ＬＥＤコントローラ１２は、ＬＥＤ１０に流す電流をコントロールする。詳しくは図４を用いて後ほど説明する。
オープン／クローズ検出部１４は、例えば筐体２の上側筐体２ｂに設けられた磁石と、折りたたみ時にこの磁石に向かい合う位置に設けられた磁気センサとを含んで構成され、磁気センサが検知する磁界の強弱に基づいて（オープン時が弱、クローズ時が強となる。）、オープンかクローズかを検出してＣＰＵ２４に出力する。
【００１６】
キー操作部１６は、通話のためのダイヤルキーなどから構成され、携帯電話機１のユーザから入力を受け付ける。
カメラ部１８は、各種画像を撮影する。スピーカ部２０は、音声を出力する。通話部２２は、高周波回路を含んで構成され通話機能を実現する。
ＣＰＵ２４は、プログラムを実行することで、演算や機器の制御を行う。
【００１７】
またＣＰＵ２４は、ＨｉｇｈかＬｏｗかのＧＰＩＯ（General Purpose Input/Output）信号を出力する２つのポート１，２（図５参照）を備える。Ｈｉｇｈの出力電圧は例えば2.7Ｖ，Ｌｏｗの出力電圧は例えば0Ｖである。
ポート１は、ＨｉｇｈかＬｏｗかのＧＰＩＯ信号を出力する。
ポート２は、ＨｉｇｈかＬｏｗかのＧＰＩＯ信号を出力し、かつパルスの密度(Ｈｉｇｈ／（Ｈｉｇｈ＋Ｌｏｗ）)を規定の密度で出力することができる、すなわちパルス密度変調（ＰＤＭ：Pulse Density Modulation）された信号を出力するポートである。
【００１８】
ＣＰＵは、動作クロックを停止させた省電力モード（スリープモード）を備える。省電力モードにおいては、ポート２からパルス密度変調された信号を出力することはできない。もっとも、省電力モードに入る前にポート１、ポート２からそれぞれ出力されていたＨｉｇｈかＬｏｗかのＧＰＩＯ信号はそのまま出力を維持することが可能である。
メモリ２６は、ＣＰＵ２４が実行するプログラム（ＬＥＤ１０の輝度を多段階に変更ることに係る制御プログラム）を格納し、またプログラムを実行するためのワークエリアを提供する。
【００１９】
本制御プログラムにおいては、キー操作部１６を介してユーザの好みに合わせてバックライトユニットの輝度（ＬＥＤ１０の輝度）を示す点灯モードを段階的に変更する。点灯モードは、最も暗い点灯モード０から最も明るい点灯モード５までの６段階ある。
点灯モード１から点灯モード４においては、それぞれ点灯モード毎の規定のパルス密度を示す情報がメモリ２６内に記憶されており、ＣＰＵはその記憶内容に基づいてポート２から規定のパルス密度に従った信号を出力することとなる（図６参照）。
【００２０】
図４は、携帯電話機１の回路の概要を示す図である。
図４に示すように、バッテリ３０（満充電時の電圧は4.2Ｖ、放電が進むに連れて値はやや低下する。）の出力側には、14Ｖに昇圧する昇圧回路３２が配置されている。昇圧回路３２の出力側は、線路Ｌ１によってスイッチ３４を介して有機ＥＬディスプレイ６と接続されている。また昇圧回路から有機ＥＬディスプレイ６に至る線路Ｌ１の分岐点Ｐから枝分かれするように引き出された線路Ｌ２によって、昇圧回路３２の出力側はＬＥＤ１０とも接続されている。
【００２１】
有機ＥＬディスプレイ６は動作電圧が例えば10Ｖ以上であり14Vよりは低い。有機ＥＬディスプレイ６の入力側には、スイッチ３４が設けられている。スイッチ３４は、ＣＰＵ２４によりオンオフ制御され、オープン／クローズ検出部１４がオープンを検出している間はオフ状態となり有機ＥＬは非点灯（非表示）となる。これに対してオープン／クローズ検出部１４がクローズを検出している間は、オン状態となり有機ＥＬは点灯することとなる。
【００２２】
ＬＥＤ１０の出力側には、抵抗Ｒ１（8ｋΩ）とバイポーラトランジスタ（以下、単に「トランジスタ」と呼ぶ。）Ｑ１、並びに抵抗Ｒ２（300Ω）とトランジスタＱ２が並列に接続されている。
トランジスタＱ１のベースにはＣＰＵ２４のポート１が接続されている。このため、ポート１の出力によりトランジスタＱ１の導通を制御できる。また、同様に、トランジスタＱ２のベースにはＣＰＵ２４のポート１が接続されているので、ポート２の出力によりトランジスタＱ２の導通を制御できる。
【００２３】
図５は、点灯モード、バックライトの表面の輝度、ポート１およびポート２が出力する信号、ＣＰＵ省電力モードとの関係を示す表である。
（１）点灯モード５(highest)
ポート１から出力されるＧＰＩＯ信号がＬｏｗの場合には、トランジスタＱ１のベース・エミッタ間の電位差が小さいため、トランジスタＱ１は非導通となる。
【００２４】
ポート２から出力されるＧＰＩＯ信号がＨｉｇｈの場合には、トランジスタＱ２のベース・エミッタ間の電位差が大きく、トランジスタＱ２は導通となる。そして、このとき
抵抗Ｒ２が300Ωと比較的小さい分、ＬＥＤ１０には大きい電流が流れるため、バックライトの表面の輝度は320（ｃｄ／ｍ２）と明るくなる。
（２）点灯モード０(dim)
点灯モード５とは反対に、ポート１から出力されるＧＰＩＯ信号がＨｉｇｈ、ポート２から出力されるＧＰＩＯ信号がＬｏｗの場合には、トランジスタＱ１が導通、トランジスタＱ２が非導通の状態となる。この場合、抵抗Ｒ１が８ｋΩと比較的大きい関係から、ＬＥＤ１０には比較的小さい電流が流れるため、バックライトの表面の輝度は13.5（ｃｄ／ｍ２）と暗くかすかに明かりが見える程度となる。
【００２５】
（３）点灯モードＯＦＦ
ポート１およびポート２から出力されるＧＰＩＯ信号が共にＬｏｗの場合には、トランジスタＱ１およびトランジスタＱ２ともに非導通の状態となり、ＬＥＤ１０には電流が流れず、バックライトの表面の輝度はほぼゼロとなる。
（４）点灯モード４（high）
ポート１から出力されるＧＰＩＯ信号がＬｏｗでトランジスタＱ１が非導通となる。ポート２からは、図６（ａ）に示すように、一定の期間（210ｎｓ+420ｎｓ）のうち、210ｎｓの間Ｈｉｇｈレベルの信号が繰り返し出力されている。
【００２６】
Ｈｉｇｈレベルのパルス幅(210ns）の期間はトランジスタＱ２は導通、Ｌｏｗレベルのパルス幅（420ns）の期間はトランジスタＱ２は非導通となる。この導通・非導通の高速切り替えにより、ＬＥＤ１０が高速にオンオフされることとなる。従ってバックライトの表面の輝度は、320（ｃｄ／ｍ２）からやや低下した238（ｃｄ／ｍ２）となる。なお、ＬＥＤ１０のオンオフは非常に高速であるため、人の目から見てちらつきなどの違和感はほとんどない（点灯モード１〜３も同じ）。
【００２７】
（５）点灯モード３（medium）
ポート１から出力されるＧＰＩＯ信号がＬｏｗでトランジスタＱ１が非導通となる。ポート２からは、図６（ｂ）に示すように、一定の期間（210ｎｓ+830ｎｓ）のうち、210ｎｓの間Ｈｉｇｈレベルの信号が繰り返し出力されている。バックライトの表面の輝度は、154（ｃｄ／ｍ２）となる。
【００２８】
（６）点灯モード２（low）
ポート１から出力されるＧＰＩＯ信号がＬｏｗでトランジスタＱ１が非導通となる。ポート２からは、図６（ｃ）に示すように、一定の期間（210ｎｓ+1.03μｓ）のうち、210ｎｓの間Ｈｉｇｈレベルの信号が繰り返し出力されている。バックライトの表面の輝度は、101（ｃｄ／ｍ２）となる。
【００２９】
（７）点灯モード１(lowest)
ポート１から出力されるＧＰＩＯ信号がＬｏｗでトランジスタＱ１が非導通となる。ポート２からは、図６（ｄ）に示すように、一定の期間（210ｎｓ+2.09μｓ）のうち、210ｎｓの間Ｈｉｇｈレベルの信号が繰り返し出力されている。バックライトの表面の輝度は、61（ｃｄ／ｍ２）となる。
【００３０】
以上説明したように、本実施の形態によれば、ＣＰＵ２４のポート２から出力されるＰＤＭ信号を利用して、Ｑ２を高速でオンオフすることで導通／非導通を高速に切り替え、ＬＥＤ１０に電流を流すか流さないかを高速に切り替えることができ、ＰＤＭ信号の密度の高低を変化させることで輝度を点灯モード１〜４の４段階に調整することができる。
また、ＬＥＤ１０と有機ＥＬディスプレイ６とでひとつの昇圧回路３２を共用するので回路規模やコストを低減できる。昇圧回路は特に高コスト部品であり元々有機ＥＬディスプレイ向けの昇圧回路を使いませすことができるのは特に効率的である。しかも、図２に示すようにフリップ状態に応じていずれか一方を表示（点灯）させることができる。
【００３１】
また、上述のようにＣＰＵ２２は、ＣＰＵの動作クロックを停止させた省電力モード下においても、ポート１、ポート２から出力されるＨｉｇｈかＬｏｗかのＧＰＩＯ信号はそのまま出力を維持することが可能である。
そして、このＨｉｇｈとＬｏｗの組み合わせにより、最も明るい点灯モード５、および最も暗いモード０とを省電力モードにも関わらず利用できることが可能となる。
【００３２】
例えば、省電力モードに入る前に、ポート１からはＨｉｇｈ、ポート２からはＬｏｗを出力し、そのまま省電力モードに移行することで、省電力モードでありながら点灯モード０でＬＣＤディスプレイ４に薄く表示することも可能となる。
使用形態の例としては、ＬＣＤディスプレイ４の光を懐中電灯代わりの明るさで使いたいユーザに対しては点灯モード５を提供でき、また、ＬＣＤディスプレイ４が薄く表示される程度で使いたいユーザに対しては点灯モード０を提供できる。
【００３３】
＜補足＞
以上、本発明の実施の形態について説明したが、本発明は上記の内容に限定されず、本発明の目的とそれに関連又は付随する目的を達成するための各種形態においても実施可能であり、例えば、以下であっても構わない。
（１）実施の形態では、図２に示すように、ＬＣＤディスプレイ４か有機ＥＬディスプレイ６のいずれか一方をオンにするとして説明したが、例えばバッテリ節約のためにオンからユーザのキー操作がないまま一定時間経過することを条件にオンにしているディスプレイをオフに切り替えるとしてもよい。
【００３４】
（２）実施の形態では、図４に示すように、ＮＰＮ型のトランジスタＱ１，Ｑ２を用いたが、図７に示すように、ＰＮＰ型のトランジスタＱ３，Ｑ４を用いても構わない。ＰＮＰ型の場合は、ＮＰＮ型とは極性が逆なので、ポート１，２から出力されるＧＰＩＯ信号がＬｏｗでトランジスタＱ３，Ｑ４は導通することとなる。また、負荷（抵抗Ｒ３，Ｒ４）はトランジスタＱ３，Ｑ４の出力側に配されており、抵抗Ｒ１と抵抗Ｒ２との関係と同様に、抵抗Ｒ３は抵抗Ｒ４と比べて大幅に高い抵抗値である。
【００３５】
また、実施の形態では、バイポーラトランジスタＱ１，Ｑ２を用いたが、図８（ａ）に示すように、ＮチャネルのＴＦＴ（Thin Film Transistor）や、図８（ｂ）に示すようにＰチャネルのＴＦＴを用いてもよい。図８（ａ）のＮチャネルのＴＦＴの場合、ポート１，２から出力されるＧＰＩＯ信号がＨｉｇｈレベルでＴＦＴ（Ｑ５，Ｑ６）は導通（オン）となり、Ｌｏｗレベルで非導通（オフ）となる。図９（ｂ）の場合、ポート１，２から出力されるＧＰＩＯ信号がＬｏｗレベルでＴＦＴ（Ｑ７，Ｑ８）は導通（オン）となり、Ｈｉｇｈレベルで非導通（オフ）となる。
【００３６】
（３）実施の形態では、ＣＰＵ２４のポート２から出力される信号は、パルス幅は一定で、単位時間あたりのパルスの密度を変化されるというパルス密度変調であったが、これに限られない。例えばパルス幅変調（ＰＷＭ：Pulse Width Modulation）を用いても構わない。要は、パルスのＨｉｇｈとＬｏｗのそれぞれを出力する期間の比を制御できればよい。
【００３７】
（４）実施の形態では、図５に示すように、点灯モード５と点灯モード０では、ポート１とポート２のいずれか一方をＨｉｇｈにするとして説明したが、両方をＨｉｇｈにしても構わない。両方をＨｉｇｈにすると、並列に接続された抵抗Ｒ１，Ｒ２の全体の抵抗ＲはＲ２の３００Ωを下回るので（１／Ｒ＝１／Ｒ１＋１／Ｒ２よりＲ＝約２９０Ω）、点灯モード５よりさらに明るい輝度となる。
【００３８】
（５）実施の形態では、キー操作部１６を介してユーザから輝度の段階の指定を受け付けるとして説明したが、これに限らず例えばＬＣＤディスプレイ４の傍らに照度センサを設けて、照度センサの出力が、照度が低いことを示していれば輝度をより明るい段階とし、照度が高いことを示していれば輝度をより暗い段階としてもよい。
＜まとめ＞
（１）本発明に係る点灯制御装置は、直列に接続された複数のＬＥＤ素子と、前記複数のＬＥＤ素子の電流の出力側に接続され、第１の信号レベルのパルス信号により導通し、前記第１の信号レベルとは異なる第２の信号レベルのパルス信号により非導通となる第１のトランジスタと、前記複数のＬＥＤ素子の電流の出力側であって前記第１のトランジスタに対して並列に接続され、第３の信号レベルのパルス信号により導通し、前記第３の信号レベルとは異なる第４の信号レベルのパルス信号により非導通となる第２のトランジスタと、前記第１のトランジスタへとパルス信号を出力する第１ポートと前記第２のトランジスタへとパルス信号を出力する第２ポートとを含むＣＰＵとを備え、前記ＣＰＵは、前記第３の信号レベルを出力する期間と前記第４の信号レベルを出力する期間との比率を制御することにより前記複数のＬＥＤ素子の輝度を制御することを特徴とする。
【００３９】
この構成によれば、簡易な回路構成で輝度の多段階変更が可能となる。
（２）前記ＣＰＵは、動作クロックを停止させるモードを有しており、動作クロックを停止させる場合、動作クロックを停止させる前に前記第１ポートおよび前記第２ポートから出力される信号レベルを固定し前記複数のＬＥＤ素子の輝度を設定するとしても構わない。
【００４０】
この構成によれば、ＣＰＵの動作クロックを停止させるモード、つまり省電力モードにおいても、複数のＬＥＤ素子を発光させることができ、例えば、省電力モードの最中にも関わらず複数のＬＥＤ素子を光源とするＬＣＤバックライトユニットを点灯させることができる。
（３）また、前記ＣＰＵが前記第１ポートから出力するパルス信号は、パルス変調されない信号であって、前記ＣＰＵが前記第１ポートから出力するパルス信号の前記第１の信号レベルおよび前記第２の信号レベルは、一方がＨｉｇｈ、他方がＬｏｗであるとしても構わない。
【００４１】
（４）また、バッテリと、前記バッテリの電圧を昇圧する昇圧回路と、前記昇圧回路の出力側の線路と接続された有機ＥＬディスプレイとを備え、前記複数のＬＥＤ素子は、前記昇圧回路の出力側の線路の分岐点から引き出された線路に接続されており、さらに、前記分岐点から前記有機ＥＬディスプレイに至る線路に設置されたスイッチ素子を備えるとしても構わない。
【００４２】
この構成によれば、有機ＥＬディスプレイと、複数のＬＥＤ素子とで昇圧回路などの回路構成を共用できるので、例えば部品添数の削減などに寄与できる。
（５）本発明に係る携帯電話機は、上記点灯制御装置と、上側筐体と下側筐体とを含む折りたたみ式の筐体を有する携帯電話機であって、前記筐体が折りたたまれていないオープン状態か、折りたたまれたクローズ状態かを検知する検知部と、前記上側筐体の前面には前記複数のＬＥＤ素子を光源とするバックライトユニットにより発光するＬＣＤディスプレイと、前記上側筐体の背面には有機ＥＬディスプレイとを備え、前記検知部によりクローズ状態が検知されると、前記ＣＰＵは、前記第２の信号レベルのパルス信号を出力することにより前記第１のトランジスタを非導通にさせて、前記複数のＬＥＤ素子を非点灯とし、かつ前記スイッチ素子をオン制御することにより前記有機ＥＬディスプレイを点灯させるとしても構わない。
【００４３】
この構成によれば、オープン状態かクローズ状態かに応じて、ＬＣＤディスプレイと有機ＥＬディスプレイとを好適にオンオフすることができる。
なお、上記ＣＰＵから、第４の信号レベルのパルス信号を出力することで第２のトランジスタを非導通にさせるというように、第１のトランジスタおよび第２のトランジスタの双方を非導通にさせてもよい。
【産業上の利用可能性】
【００４４】
本発明に係る点灯制御装置によれば、簡易な回路構成で輝度を多段階に変更できるため有用である。
【符号の説明】
【００４５】
１  携帯電話機
２  筐体
２ａ  上側筐体
２ｂ  下側筐体
２ｃ  ヒンジ部
４  ＬＣＤディスプレイ
６  有機ＥＬディスプレイ
１０  ＬＣＤバックライトＬＥＤ
１２  ＬＥＤコントローラ
１４  オープン／クローズ検出部
２４  ＣＰＵ
３０  バッテリ（電源）
Ｌ１  線路
Ｌ２  線路
Ｐ  分岐点
Ｑ１，Ｑ２，Ｑ３，Ｑ４  トランジスタ（バイポーラトランジスタ）
Ｑ５，Ｑ６，Ｑ７，Ｑ８  ＴＦＴ
Ｒ１，Ｒ２，Ｒ３，Ｒ４，Ｒ５，Ｒ６，Ｒ７，Ｒ８  抵抗
【図１】
0005421695.tif 000002
【図２】
0005421695.tif 000003
【図３】
0005421695.tif 000004
【図４】
0005421695.tif 000005
【図５】
0005421695.tif 000006
【図６】
0005421695.tif 000007
【図７】
0005421695.tif 000008
【図８】
0005421695.tif 000009
【図９】
0005421695.tif 000010
【図１０】
0005421695.tif 000011